(57)【特許請求の範囲】
【請求項１】
撮像装置において、
被写体を撮像して被写体に係る画像を取得する撮像部と、
上記撮像部によって取得された画像に基づく第１の記録画像を記録する第１の記録部と、
上記第１の記録部とは別個に設けられ、上記撮像部によって取得された画像に基づく第２の記録画像を記録する第２の記録部と、
上記第１の記録画像を上記第１の記録部のみに記録させる第１の記録モードと、上記第１の記録画像を上記第１の記録部に記録させるとともに、上記第２の記録画像を上記第２の記録部に記録させる第２の記録モードとを、当該撮像装置の撮影条件に応じて切り替えて、上記撮像部によって取得された画像の記録を制御する記録制御部と、
上記第１の記録画像と上記第２の記録画像との中の、少なくとも何れかに基づく画像を表示する表示部と、
上記記録制御部が上記第１の記録モードに従って上記撮像部によって取得された画像の記録を制御した場合には、上記第１の記録画像に基づく画像のみを上記表示部に表示させ、上記記録制御部が上記第２の記録モードに従って上記撮像部によって取得された画像の記録を制御した場合には、上記第１の記録画像に基づく画像と上記第２の記録画像に基づく画像とを同時に上記表示部に表示させる表示制御部と、
を具備することを特徴とする撮像装置。
【請求項２】
上記表示制御部は、上記記録制御部が上記第２の記録モードに従って上記撮像部によって取得された画像の記録を制御した場合には、上記第１の記録画像の記録サイズと上記第２の記録画像の記録サイズとに応じて、上記第１の記録画像に基づく画像と上記第２の記録画像に基づく画像のそれぞれの表示サイズを決定することを特徴とする請求項１に記載の撮像装置。
【請求項３】
上記記録制御部は、上記撮影条件として、上記撮像部で得られた画像に特定の人物の画像が存在しているか否かを判定し、該判定の結果、上記撮像部で得られた画像に特定の人物の画像が存在している場合にのみ、上記第２の記録モードに従って上記画像の記録を行うことを特徴とする請求項１又は２に記載の撮像装置。
【請求項４】
上記記録制御部は、上記第２の記録モードに従って上記撮像部によって取得された画像の記録を制御した場合には、上記特定の人物の画像が記録されたことを示す画像を、上記第１の記録画像に基づく画像及び上記第２の記録画像に基づく画像とともに上記表示部に表示させることを特徴とする請求項３に記載の撮像装置。
【請求項５】
上記第２の記録部は、上記第１の記録部よりも記録容量が小さい記録部であり、
上記第２の記録画像は、上記第１の記録画像に対してリサイズ処理が施された画像であることを特徴とする請求項１乃至４の何れかに記載の撮像装置。
【請求項６】
上記第２の記録部は、当該撮像装置に対して着脱自在であり、且つ通信部を有しており、
上記通信部は、上記第２の記録画像を受信し、画像の再生機能を有する外部装置に上記第２の記録画像を通信することを特徴とする請求項１乃至５の何れかに記載の撮像装置。
【発明の詳細な説明】
【技術分野】
【０００１】
本発明は、撮影により得られた特定の画像を自動記録することが可能な撮像装置に関する。
【背景技術】
【０００２】
デジタルカメラ等の撮影機能を有する携帯機器（以下、単に撮像装置と言う）によって撮影された画像を分類して記録する技術の１つとして特許文献１の提案がなされている。特許文献１においては、撮影画像から被写体を特定するための識別情報や顔領域の情報を算出し、これらの情報を撮影画像と関連付けて記録部に記録するようにしている。さらに、特許文献１においては、電子アルバムの作成時には、撮影画像に対応付けられた情報に基づいて、ある特定の被写体が撮影されており且つ電子アルバムに適切なシーンの撮影画像を電子アルバムに使用する撮影画像として分類して記録するようにしている。
【先行技術文献】
【特許文献】
【０００３】
【特許文献１】特開２００５−２１０３６９号公報
【発明の概要】
【発明が解決しようとする課題】
【０００４】
ここで、特許文献１の技術は、電子アルバムに使用する撮影画像を自動的に分類するものであるが、分類した結果を実際に確認することができるのは、電子アルバムが作成された後のことである。このため、必ずしもユーザの利便性が高いとは言えない。
本発明は、上記の事情に鑑みてなされたもので、撮影により得られた特定の画像を自動記録する撮像装置において、その記録結果をすぐにユーザが確認することが可能な撮像装置を提供することを目的とする。
【課題を解決するための手段】
【０００５】
上記の目的を達成するために、本発明の第１の態様では、撮像装置において、被写体を撮像して被写体に係る画像を取得する撮像部と、上記撮像部によって取得された画像に基づく第１の記録画像を記録する第１の記録部と、上記第１の記録部とは別個に設けられ、上記撮像部によって取得された画像に基づく第２の記録画像を記録する第２の記録部と、上記第１の記録画像を上記第１の記録部のみに記録させる第１の記録モードと、上記第１の記録画像を上記第１の記録部に記録させるとともに、上記第２の記録画像を上記第２の記録部に記録させる第２の記録モードとを、当該撮像装置の撮影条件に応じて切り替えて、上記撮像部によって取得された画像の記録を制御する記録制御部と、上記第１の記録画像と上記第２の記録画像との中の、少なくとも何れかに基づく画像を表示する表示部と、上記記録制御部が上記第１の記録モードに従って上記撮像部によって取得された画像の記録を制御した場合には、上記第１の記録画像に基づく画像のみを上記表示部に表示させ、上記記録制御部が上記第２の記録モードに従って上記撮像部によって取得された画像の記録を制御した場合には、上記第１の記録画像に基づく画像と上記第２の記録画像に基づく画像とを同時に上記表示部に表示させる表示制御部と、を具備することを特徴とする。
【発明の効果】
【０００６】
本発明によれば、撮影により得られた特定の画像を自動記録する撮像装置において、その記録結果をすぐにユーザが確認することが可能な撮像装置を提供することができる。
【図面の簡単な説明】
【０００７】
【図１】本発明の一実施形態に係る撮像装置を有する画像記録システムの構成を示す図。
【図２】図１に示す画像記録システムにおける動作の概要を示す図。
【図３】画像記録システムの動作としての撮像装置のメイン動作について示すフローチャート。
【図４】記録及び確認再生処理について示すフローチャート。
【図５】変形例１に係るアイコン表示の例を示す図。
【図６】変形例２に係る確認表示の例を示す図。
【図７】変形例３に係る記録及び確認再生処理について示すフローチャート。
【図８】変形例３に係る確認表示の例を示す図。
【図９】変形例３に係る撮影設定の処理の例について示すフローチャート。
【図１０】変形例３に係る撮影設定処理時の表示画面の例を示す図。
【発明を実施するための形態】
【０００８】
以下、図面を参照して本発明の実施形態を説明する。  
図１は、本発明の一実施形態に係る撮像装置を有する画像記録システムの構成を示す図である。本画像記録システムは、図１（ａ）に示すように、撮像装置１００と、アクセサリ装置２００とを有している。アクセサリ装置２００は、撮像装置１００に対して着脱自在に構成されている。撮像装置１００にアクセサリ装置２００が装着された場合には、撮像装置１００とアクセサリ装置２００とが通信自在に接続される。さらに、アクセサリ装置２００は、撮像装置１００から分離した状態で持ち運ぶことが可能である。そして、アクセサリ装置２００は、撮像装置１００から分離されている状態で、図１（ｂ）に示すように、撮像装置１００以外の外部装置３００との通信が可能になされている。勿論、アクセサリ装置２００が撮像装置１００に装着されている状態でもアクセサリ装置２００と外部装置３００との通信を行えるようにしても良い。
【０００９】
撮像装置１００は、撮像部１０１と、画像処理部１０２と、表示部１０３と、記録部１０４と、操作部１０５と、計時部１０６と、通信部１０７と、制御部１０８とを有している。
撮像部１０１は、光学系１０１ａと、撮像素子１０１ｂとを有している。光学系１０１ａは、図示しない被写体の像を撮像素子１０１ｂに結像させるための光学系である。撮像素子１０１ｂは、光学系１０１ａを介して結像された被写体の像を、光電変換によって電気信号（画像信号）に変換する。このような構成の撮像部１０１において得られた画像信号は、制御部１０８によってデジタル信号（画像データ）として取り込まれる。
【００１０】
画像処理部１０２は、制御部１０８において得られた画像データに対して表示用の画像処理又は記録用の画像処理を施す。表示用の画像処理としては、例えば、ホワイトバランス補正処理、階調変換処理、表示用リサイズ処理等が含まれる。また、記録用の画像処理としては、例えば、ホワイトバランス補正処理、階調変換処理、記録用リサイズ処理、圧縮処理等が含まれる。ここで、表示用リサイズ処理は、画像データの画素数を表示部１０３の表示画素数に合わせるリサイズ処理である。一方、記録用リサイズ処理は、画像データの画素数を所定の記録画素数に合わせるリサイズ処理である。また、画像処理部１０２は、記録部１０４に記録された画像データの再生時においては、圧縮されている記録画像データを伸張することも行う。
【００１１】
表示部１０３は、画像処理部１０２における表示用の画像処理によって得られた表示画像データに基づく画像等の各種の画像を表示する。この表示部１０３は、例えば液晶ディスプレイ（ＬＣＤ）や有機エレクトロルミネッセンスディスプレイ（ＯＥＬＤ）等の表示部として構成されている。
【００１２】
第１の記録部としての機能を有する記録部１０４は、例えば撮像装置１００に内蔵の不揮発性メモリであり、画像処理部１０２における記録用の画像処理によって得られた圧縮画像データに基づいて作成される画像ファイル（第１の記録画像）等の各種のデータを記録する。なお、記録部１０４を撮像装置１００に対して着脱自在に構成しても良い。
【００１３】
操作部１０５は、ユーザが撮像装置１００の操作を行うための各種の操作部である。ここで、操作部１０５としては、例えば撮像装置１００の電源をオン又はオフするための電源ボタン、撮像装置１００に対して撮影実行の指示を行うためのレリーズボタン、撮像装置１００の動作モードを設定するためのモードボタン、撮像装置１００に対してメニュー表示実行の指示を行うためのメニューボタン、撮像装置１００における各種の選択を行うための選択ボタン等の種々の操作部が含まれる。この他、操作部１０５の一部の機能をタッチパネルで構成するようにしても良い。操作部１０５の操作がなされた場合に、制御部１０８は、操作部１０５の操作に応じた処理を実行する。計時部１０６は、撮像装置１００において各種の時間を計時する。
【００１４】
通信部１０７は、撮像装置１００がアクセサリ装置２００と通信するための通信インターフェースを備えている。通信部１０７は、例えばアクセサリ装置２００と有線通信を行うための通信インターフェースとして、例えばユニバーサルシリアルバス（ＵＳＢ）インターフェースを備えている。勿論、ＵＳＢインターフェース以外を持たせるようにしても良い。
【００１５】
制御部１０８は、表示制御部１０８ａや記録制御部１０８ｂ等の機能を有し、撮像装置１００における画像表示に関する制御や画像記録に関する制御等の、撮像装置１００における全体的な動作を制御する。また、制御部１０８は、顔検出部１０８ｃとしての機能も有しており、撮像部１０１から取り込んだ画像データから被写体（人物）の顔部を検出する。顔検出は、例えば画像データ中の顔の特徴量（目や、鼻、口の特徴）を検出することで行う。
【００１６】
アクセサリ装置２００は、記録部２０１と、通信部２０２とを有している。  
第２の記録部としての機能を有する記録部２０１は、第１の記録画像をさらに画像処理（リサイズ処理）することによって得られる画像ファイル（第２の記録画像）を記録する。なお、記録部２０１は、記録部１０４よりは小さな記録容量を有しているが、外部装置３００における画像の表示には十分な程度（外部装置３００の解像度相当の画素数を有する画像データを記録できる程度）の画像ファイルが記録できる記録容量を有しているものである。
【００１７】
通信部２０２は、アクセサリ装置２００が撮像装置１００や外部装置３００と通信するための通信インターフェースとして、有線通信部２０２ａと、無線通信部２０２ｂとを有している。有線通信部２０２ａは、例えばＵＳＢインターフェース等の有線通信用のインターフェースを備えている。無線通信部２０２ｂは、例えば無線ＬＡＮ等の無線通信用のインターフェースを備えている。
【００１８】
外部装置３００は、例えばパーソナルコンピュータやテレビジョン受像機、携帯電話機等、画像の再生機能を有する機器である。さらに、外部装置３００は、少なくともアクセサリ装置２００との通信機能も有している。このような構成により、外部装置３００は、アクセサリ装置２００との通信によって、アクセサリ装置２００の記録部２０１に記録されている画像ファイルを受信し、受信した画像ファイルから画像を再生することが可能である。なお、図１（ｂ）は、アクセサリ装置２００の無線通信部２０２ｂによって、アクセサリ装置２００と外部装置３００との通信を行う例を示している。これに対し、有線通信部２０２ａによって、アクセサリ装置２００と外部装置３００との通信を行うようにしても良い。また、アクセサリ装置２００をインターネット等のネットワークにも接続可能とし、ネットワーク上のサーバに画像データを送信可能としても良い。
【００１９】
図２は、図１に示す画像記録システムにおける動作の概要を示す図である。本画像記録システムは、撮像装置１００にアクセサリ装置２００が装着されているか否かに応じて異なる動作をする。
図２（ａ）は、撮像装置１００にアクセサリ装置２００が装着されていない状態で撮像装置１００による画像の撮影操作がなされた場合の動作の概要を示している。撮像装置１００にアクセサリ装置２００が装着されていない場合の撮像装置１００の動作モードは、撮像装置１００の記録部１０４のみへの画像ファイルデータの記録を行う動作モード（第１の記録モード）となる。そして、第１の記録モードの場合、撮影後には、画像ファイルが正しく記録部１０４に記録されていることをユーザが確認できるように、記録部１０４に記録された画像ファイル（第１の記録画像）のみに基づく確認表示を行う。この確認表示においては、図２（ａ）に示すように、第１の記録画像に基づく確認画像１０３ａを表示部１０３に所定時間（例えば２秒程度）表示させる。
【００２０】
一方、図２（ｂ）、図２（ｃ）は、撮像装置１００にアクセサリ装置２００が装着されている状態で撮像装置１００による画像の撮影操作がなされた場合の動作の概要を示している。撮像装置１００にアクセサリ装置２００が装着されている場合の撮像装置１００の動作モードは、撮像装置１００の記録部１０４とアクセサリ装置２００の記録部２０１の両方への画像ファイルの記録を行う動作モード（第２の記録モード）となる。この際、記録部２０１には記録部１０４に記録する画像ファイル中の画像データをさらにリサイズして得られる画像データに基づく画像ファイル（第２の記録画像）を記録する。そして、第２の記録モードの場合、撮影後には、画像ファイルが記録部１０４と記録部２０１の両方に正しく記録されていることをユーザが確認できるように、記録部１０４に記録された画像ファイル（第１の記録画像）と記録部２０１に記録された画像ファイル（第２の記録画像）の両方に基づく確認表示を行う。この確認表示においては、図２（ｂ）に示すようにして、第１の記録画像に基づく確認画像１０３ａと第２の記録画像に基づく確認画像１０３ｂとを同時に表示部１０３に所定時間（例えば２秒程度）表示させる。さらに、第２の記録モードにおいては、第２の記録画像が記録部２０１に記録されたことをユーザに視覚的に認知させるための表示を行う。この表示は、例えば図２（ｃ）の矢印Ａで示すようにして、確認画像１０３ｂがアクセサリ装置２００内に入っていくことをユーザが視認できる表示とする。
【００２１】
図３は、画像記録システムの動作としての撮像装置１００のメイン動作について示すフローチャートである。ユーザの操作部１０５の操作によって、撮像装置１００の電源がオンされることによって、図３の動作が開始される。撮像装置１００の制御部１０８は、まず、撮像装置１００の動作モードが撮影モードであるか否かを判定する（ステップＳ１０１）。上述したように、動作モードは、例えば操作部１０５のモードボタンの操作によって設定される。ステップＳ１０１の判定において、動作モードが撮影モードである場合に、制御部１０８は、ライブビュー表示処理を行う（ステップＳ１０２）。このライブビュー表示処理として、制御部１０８は、撮像部１０１を連続動作させる。そして、制御部１０８は、画像処理部１０２を制御して、撮像部１０１の連続動作によって得られる画像データに対して表示用の画像処理を施す。その後に制御部１０８は、表示用の画像処理によって得られる画像データに基づく画像を表示部１０３に表示させる。このようなライブビュー表示処理により、ユーザは、構図等を表示部１０３において確認することが可能である。
【００２２】
ライブビュー表示処理の後、制御部１０８は、撮影操作がなされたか否かを判定する（ステップＳ１０３）。撮影操作とは、例えば操作部１０５のレリーズボタンの操作である。ステップＳ１０３の判定において、撮影操作がなされた場合に、制御部１０８は、露出処理を行う（ステップＳ１０４）。この露出処理として、制御部１０８は、シーンの明るさ等から撮像素子１０１ｂの適正露出量を算出する。そして、制御部１０８は、算出した適正露出量に従って撮像部１０１の露出動作（画像取得動作）を制御する。露出処理の後、制御部１０８は、図２で示したような確認画像を表示させるための記録及び確認再生処理を行う（ステップＳ１０５）。この記録及び確認再生処理の詳細については後述する。
【００２３】
記録及び確認再生処理の後、制御部１０８は、撮像装置１００の電源をオフするか否かを判定する（ステップＳ１０６）。例えば、操作部１０５の電源ボタンによって電源オフ指示がなされた場合に電源をオフすると判定する。この他、所定時間の間、操作部１０５の操作がなかった場合に電源をオフすると判定するようにしても良い。ステップＳ１０６の判定において、電源をオフしない場合に、制御部１０８は、処理をステップＳ１０１に移行させる。一方、ステップＳ１０６の判定において、電源をオフする場合に、制御部１０８は、図３の処理を終了させる。
【００２４】
また、ステップＳ１０３の判定において、撮影操作がなされていない場合に、制御部１０８は、メニュー表示操作がなされたか否かを判定する（ステップＳ１０７）。メニュー表示操作とは、例えば操作部１０５のメニューボタンの操作である。ステップＳ１０７の判定において、メニュー表示操作がなされた場合に、制御部１０８は、現在、撮像装置１００にアクセサリ装置２００が装着されているか否かを判定する（ステップＳ１０８）。例えば、アクセサリ装置２００と通信可能であった場合に、アクセサリ装置２００が装着されていると判定する。ステップＳ１０８の判定において、アクセサリ装置２００が装着されていない場合に、制御部１０８は、メニュー項目の一覧を表示部１０３に表示させる（ステップＳ１０９）。このメニュー項目に従って変更できる撮影条件としては、例えば第１の記録画像の記録サイズ（即ち圧縮率）の設定や各種の画像処理設定等が含まれる。ステップＳ１０９において、メニュー項目を表示させた後、制御部１０８は、ユーザによる操作部１０５の選択ボタンの操作に従って撮影モード中の撮影条件を変更する（ステップＳ１１０）。撮影条件の設定終了後、制御部１０８は、処理をステップＳ１０６に移行させる。
【００２５】
また、ステップＳ１０８の判定において、アクセサリ装置２００が装着されている場合に、制御部１０８は、メニュー項目の一覧を表示部１０３に表示させる（ステップＳ１１１）。ステップＳ１１１のメニュー項目の一覧表示の際には、通常のメニュー項目の表示に加えてアルバム作成モードに関する項目を表示させるようにする。アルバム作成モードとは、アクセサリ装置２００の記録部２０１内に作成する電子アルバムを作成に関する設定を行うためのモードである。アルバム作成モードにおいては、例えば電子アルバムの作成対象の人物を特定するための情報として、例えば人物の顔画像を登録する。なお、アルバム作成モードの具体的な処理については後述する。ステップＳ１１１において、メニュー項目を表示させた後、制御部１０８は、ユーザによる操作部１０５の操作に従って撮影モード中の撮影条件の設定を変更する（ステップＳ１１２）。撮影条件の設定終了後、制御部１０８は、処理をステップＳ１０６に移行させる。
【００２６】
また、ステップＳ１０１の判定において、動作モードが撮影モードでない場合に、制御部１０８は、撮像装置１００の動作モードが再生モードであるか否かを判定する（ステップＳ１１３）。ステップＳ１１３の判定において、動作モードが再生モードでない場合に、制御部１０８は処理をステップＳ１０１に移行させる。一方、ステップＳ１１３の判定において、動作モードが再生モードである場合に、制御部１０８は、現在、撮像装置１００にアクセサリ装置２００が装着されているか否かを判定する（ステップＳ１１４）。ステップＳ１１４の判定において、アクセサリ装置２００が装着されていない場合に、制御部１０８は、撮像装置１００の記録部１０４に記録されている画像ファイルの一覧（サムネイル画像）を表示部１０３に表示させる（ステップＳ１１５）。一覧表示の後、制御部１０８は、例えばユーザの操作部１０５の選択ボタンの操作に従って画像ファイルの選択がなされたか否かを判定する（ステップＳ１１６）。ステップＳ１１６の判定において、画像ファイルの選択がなされていない場合に、制御部１０８は、ステップＳ１１５の一覧表示を継続する。一方、ステップＳ１１６の判定において、画像ファイルの選択がなされた場合に、制御部１０８は、選択された画像ファイルの再生を行う（ステップＳ１１７）。この際、制御部１０８は、画像処理部１０２を制御して、ユーザによって選択された画像ファイルを伸張する。そして、制御部１０８は、伸張して得られた画像を表示部１０３に表示させる。画像ファイルの再生後、制御部１０８は、戻る操作がなされたか否かを判定する（ステップＳ１１８）。戻る操作とは、例えば再度の選択ボタンの操作である。ステップＳ１１８の判定において、戻る操作がなされていない場合に、制御部１０８は、ステップＳ１１８の判定を行いつつ、待機する。一方、ステップＳ１１８の判定において、戻る操作がなされた場合に、制御部１０８は処理をステップＳ１１５に移行させる。
【００２７】
また、ステップＳ１１４の判定において、アクセサリ装置２００が装着されている場合に、制御部１０８は、ユーザの操作部１０５の操作により、アクセサリ装置２００内に作成されている電子アルバムの表示が指示されたか否かを判定する（ステップＳ１１９）。ステップＳ１１９の判定において、電子アルバムの表示が指示されなかった場合に、制御部１０８は処理をステップＳ１１５に移行させる。また、ステップＳ１１９の判定において、電子アルバムの表示が指示された場合に、制御部１０８は、アクセサリ装置２００の記録部２０１に記録されている画像ファイルの一覧（サムネイル画像）を表示部１０３に表示させる（ステップＳ１２０）。一覧表示の後、制御部１０８は、例えばユーザの操作部１０５の選択ボタンの操作に従って画像ファイルの選択がなされたか否かを判定する（ステップＳ１２１）。ステップＳ１２１の判定において、画像ファイルの選択がなされていない場合に、制御部１０８は、ステップＳ１２０の一覧表示を継続する。一方、ステップＳ１２１の判定において、画像ファイルの選択がなされた場合に、制御部１０８は、選択された画像ファイルの再生を行う（ステップＳ１２２）。画像ファイルの再生後、制御部１０８は、戻る操作がなされたか否かを判定する（ステップＳ１２３）。ステップＳ１２３の判定において、戻る操作がなされていない場合に、制御部１０８は、ステップＳ１２３の判定を行いつつ、待機する。一方、ステップＳ１２３の判定において、戻る操作がなされた場合に、制御部１０８は処理をステップＳ１２０に移行させる。
【００２８】
図４は、図３のステップＳ１０５の記録及び確認再生処理について示すフローチャートである。露出処理の後、制御部１０８は、画像処理部１０２を制御して、撮像部１０１を介して得られた画像データに対して記録用の画像処理を施す。その後、制御部１０８は、画像処理部１０２による記録用の画像処理によって生成された圧縮画像データに所定のヘッダ情報を付加して画像ファイル（第１の記録画像）を作成する。そして、制御部１０８は、作成した第１の記録画像を記録部１０４に記録する（ステップＳ２０１）。第１の記録画像の記録後、制御部１０８は、現在、撮像装置１００にアクセサリ装置２００が装着されているか否かを判定する（ステップＳ２０２）。
【００２９】
ステップＳ２０２の判定において、アクセサリ装置２００が装着されていない場合には、第１の記録モードとする。この場合に、制御部１０８は、第１の記録画像のみに基づく確認表示を行う（ステップＳ２０３）。この際、制御部１０８は、図２（ａ）に示すように、撮像装置１００の記録部１０４に記録した第１の記録画像に基づく確認画像１０３ａを表示部１０３の全画面に表示させる。確認画像１０３ａの表示の後、制御部１０８は、計時部１０６による計時を開始する。その後、制御部１０８は、所定時間（例えば２秒程度）が経過したか否かを判定する（ステップＳ２０４）。ステップＳ２０４の判定において、所定時間が経過していない場合に、制御部１０８は、ステップＳ２０４の判定を行いつつ、待機する。一方、ステップＳ２０４の判定において、所定時間が経過した場合に、制御部１０８は、図４の処理を終了させる。
【００３０】
また、ステップＳ２０２の判定において、アクセサリ装置２００が装着されている場合に、制御部１０８は、撮像部１０１の動作を開始させる。そして、制御部１０８は、撮像部１０１を介して得られる画像データにおける人物の顔を検出する。人物の顔が検出された場合に、制御部１０８は、検出された人物の顔の特徴を認識する（ステップＳ２０５）。顔認識の後、制御部１０８は、認識した顔の特徴が、記録部１０４に予め登録されている人物の顔の特徴と合致しているか否かを判定する（ステップＳ２０６）。人物の顔の登録は、例えば図３のステップＳ１１１、Ｓ１１２で示したアルバム作成モードにおいて行われるものである。ステップＳ２０６の判定において、ステップＳ２０５において認識した顔の特徴が記録部１０４に予め登録されている人物の顔の特徴と合致していない場合に、制御部１０８は、処理をステップＳ２０３に移行させる。
【００３１】
一方、ステップＳ２０６の判定において、ステップＳ２０５において認識した顔の特徴が記録部１０４に予め登録されている人物の顔の特徴と合致した場合には、第２の記録モードとする。この場合に制御部１０８は、画像処理部１０２を制御して、記録部１０４に記録されている第１の記録画像に対してリサイズ処理を施す。ここで、リサイズ処理の際のリサイズ率は、アクセサリ装置２００の記録部２０１の記録容量に応じて変更するものとする。例えば、記録部２０１がハイビジョンサイズ（High Definition：ＨＤ  １９２０×１０８０画素）の画像データを記録できる程度の記録容量を有している場合には、リサイズ処理後の画像データの画素数もハイビジョンサイズとする。また、ステップＳ１１１、１１２で示したアルバム作成モードにおいて第２の記録画像のリサイズ率を手動で設定できるようにしても良い。リサイズ処理の後、制御部１０８は、リサイズ処理によって得られる画像データに所定のヘッダ情報を付加して画像ファイル（第２の記録画像）を作成する。そして、制御部１０８は、第２の記録画像を、通信部１０７を介してアクセサリ装置２００の記録部２０１に記録する（ステップＳ２０７）。
【００３２】
第２の記録画像を記録部２０１に記録した後、制御部１０８は、第１の記録画像と第２の記録画像の両方に基づく確認表示を行う（ステップＳ２０８）。この際、制御部１０８は、画像処理部１０２を制御して、確認画像１０３ａの所定位置（例えば右下位置）に確認画像１０３ｂを重畳させた確認画像を生成する。この際、確認画像１０３ｂについては所定の表示サイズにリサイズしてから確認画像１０３ａに重畳させる。重畳処理の後、制御部１０８は、図２（ｂ）に示すようにして、重畳処理の結果として生成された確認画像を表示部１０３に表示させる。
【００３３】
確認画像１０３ａ及び確認画像１０３ｂを表示させた後、制御部１０８は、画像処理部１０２を制御して、確認画像１０３ｂの重畳位置をアクセサリ装置２００の側（図２（ｃ）の例では左上方向）に徐々に変化させた確認画像を順次生成する。そして、制御部１０８は、各重畳位置を変更した確認画像を表示部１０３に順次表示させる（ステップＳ２０９）。このような表示処理を行うことにより、図２（ｃ）で示したような確認画像１０３ｂがアクセサリ装置２００内に入っていくことをユーザが視認できるような表示を行うことが可能である。ステップＳ２０９の後、制御部１０８は、処理をステップＳ２０４に移行させる。
【００３４】
以上説明したように、本実施形態によれば、撮像装置１００にアクセサリ装置２００が装着されている状態の撮影において特定の撮影条件を満たしたとき、具体的には、撮影により得られた画像（第１の記録画像）中の人物が予め登録されている人物であると判定された場合には、第１の記録画像のみを記録する第１の記録モードから、第１の記録画像をさらにリサイズした画像（第２の記録画像）をアクセサリ装置２００の記録部２０１に記録する第２の記録モードに切り替えるようにしている。即ち、本実施形態によれば、予め人物の登録さえしておけば、その人物の画像を集めてなる電子アルバムを簡単に作成することが可能である。なお、上述の例では、特定の撮影条件として、予め登録された人物の画像が撮影されたか否かを判定し、予め登録された人物の画像が撮影された場合にのみ第２の記録モードとしての処理を行うようにしている。これに対し、人物以外の例えば動物の画像が撮影されている場合に第２の記録モードとしての処理を行うようにしても良いし、他の撮影条件に基づく判定を行うようにしても良い。
【００３５】
また、本実施形態では、アクセサリ装置２００に画像が自動記録される際に、２つの記録部のそれぞれに記録された画像に基づく確認画像１０３ａ、１０３ｂを同時表示させている。これにより、第１の記録画像及び第２の記録画像がそれぞれ所定の記録部に正しく自動記録されたことを、ユーザが視覚的に認知できる。
【００３６】
以下、本実施形態の変形例について説明する。  
（変形例１）  
第２の記録モードにおいて、確認画像を表示させる際に、図５に示すようにして、第２の記録画像が記録されたことをユーザに認知させるためのアイコン１０３ｃを表示させるようにしても良い。さらに、アイコン１０３ｃと人物の特徴（例えば、顔の特徴）とを対応付けるようにしておき、特定の人物についての第２の記録画像が記録部２０１に記録された際に、その人物に対応したアイコン１０３ｃを表示させるようにすれば、特定の人物についての第２の記録画像が記録部２０１に記録されたことをユーザに認知させることが可能となる。
【００３７】
（変形例２）  
図４で説明した例では、確認画像１０３ａと確認画像１０３ｂとの表示サイズを固定サイズとしているが、例えば第２の記録画像のリサイズ率に応じて確認画像１０３ｂの表示サイズを変更するようにしても良い。この場合の確認表示の例を図６に示す。図６の処理は、図４のステップＳ２０８において説明した処理に代えて行われるものである。
【００３８】
図６において、制御部１０８は、まず確認画像１０３ｂの表示サイズを示すパラメータｒに、第２の記録画像を作成するためのリサイズ処理において用いられたリサイズ率を設定する（ステップＳ３０１）。ｒの設定後、制御部１０８は、ｒが所定値、例えば１／２５以下であるか否かを判定する（ステップＳ３０２）。ステップＳ３０２の判定において、ｒが所定値以下である場合に、制御部１０８は、ｒを所定値（例えば１／２５）に制限する（ステップＳ３０３）。
【００３９】
ｒの設定後、制御部１０８は、確認画像１０３ａと確認画像１０３ｂの同時表示の際に重畳表示を行うように設定されているか否かを判定する（ステップＳ３０４）。図６の変形例では、確認画像１０３ａと確認画像１０３ｂの同時表示に先立って、図２（ｂ）で示すような重畳表示と図８（ａ）で示すような並列表示との何れを用いるかを選択できるものとする。なお、重畳表示は、上述したように、全画面の確認画像１０３ａに確認画像１０３ｂを重畳して表示させる同時表示である。一方、並列表示は、確認画像１０３ａと確認画像１０３ｂとをそれぞれ表示部１０３の別の表示領域に表示させる同時表示である。
【００４０】
ステップＳ３０４の判定において、重畳表示を行うように設定されている場合に、制御部１０８は、第１の記録画像に基づく確認画像１０３ａを表示部１０３に全画面表示させる（ステップＳ３０５）。続いて、制御部１０８は、第２の記録画像に基づく確認画像１０３ｂを重畳表示させる（ステップＳ３０６）。この際、制御部１０８は、画像処理部１０２を制御して、第２の記録画像をその表示サイズが第１の記録画像の表示サイズのｒ（１／２５≦ｒ＜１）倍となるようにリサイズする。その後、制御部１０８は、画像処理部１０２を制御して、確認画像１０３ａの所定位置（例えば右下位置）に確認画像１０３ｂを重畳させた確認画像を生成する。そして、制御部１０８は、重畳処理の結果として生成された確認画像を表示部１０３に表示させる。このような重畳表示の後、制御部１０８は図６の処理を終了させる。
【００４１】
一方、ステップＳ３０４の判定において、重畳表示を行うように設定されていない、即ち並列表示を行うように設定されている場合に、制御部１０８は、第１の記録画像に基づく確認画像１０３ａと第２の記録画像に基づく確認画像１０３ｂとをそれぞれ表示部１０３の別の表示領域に表示させる（ステップＳ３０７）。この際、制御部１０８は、画像処理部１０２を制御して、第２の記録画像をその表示サイズが第１の記録画像の表示サイズのｒ倍となるようにリサイズする。その後、制御部１０８は、確認画像１０３ａ、１０３ｂを別の表示領域に表示させる。このような並列表示の後、制御部１０８は図６の処理を終了させる。
【００４２】
図６の処理を行うことにより、第２の記録画像の記録サイズ（リサイズ率）に応じた表示サイズで確認画像１０３ｂを表示させることができる。また、ｒに下限を設けるようにすることで、確認画像１０３ｂの表示サイズが必要以上に小さくなることがない。ここで、図６の例では、ｒに下限のみを設けるようにしているが、ｒに上限（実際にはｒは１よりも小さいものである）を設けるようにしても良い。
【００４３】
（変形例３）
第２の記録画像を、登録されている人物毎に分類して記録部２０１に記録するようにしても良い。また、この場合の確認画像の表示時に、何れの人物に対する第２の記録画像が記録部２０１に記録されたのかをユーザが認知できるようにしても良い。この場合の変形例を図７、図８に示す。図７の処理は、図４の処理に代えて行われるものである。なお、図７の処理では確認表示の際に並列表示を用いる例を説明する。しかしながら、確認表示に重畳表示を用いるようにしても良い。
【００４４】
図３のステップＳ１０４に示す露出処理の後、制御部１０８は、図４を参照して説明したのと同様にして、第１の記録画像を記録部１０４に記録する（ステップＳ４０１）。第１の記録画像の記録後、制御部１０８は、現在、撮像装置１００にアクセサリ装置２００が装着されているか否かを判定する（ステップＳ４０２）。
【００４５】
ステップＳ４０２の判定において、アクセサリ装置２００が装着されていない場合には、第１の記録モードとする。この場合に、制御部１０８は、第１の記録画像のみに基づく確認表示を行う（ステップＳ４０３）。確認表示の実行後、制御部１０８は、所定時間（例えば２秒程度）が経過したか否かを判定する（ステップＳ４０４）。ステップＳ４０４の判定において、所定時間が経過していない場合に、制御部１０８は、ステップＳ４０４の判定を行いつつ、待機する。一方、ステップＳ４０４の判定において、所定時間が経過した場合に、制御部１０８は、図７の処理を終了させる。
【００４６】
また、ステップＳ４０２の判定において、アクセサリ装置２００が装着されている場合に、制御部１０８は、図８（ａ）に示すように、表示部１０３に条件アイコン１０３ｃを表示させる（ステップＳ４０５）。条件アイコン１０３ｃとは、図３のステップＳ１１１、Ｓ１１２で示したアルバム作成モード中に登録された各人物に対応付けられるアイコンのことである。条件アイコン１０３ｃの表示後、制御部１０８は、撮像部１０１を動作させ、撮像部１０１を介して得られる画像データにおける人物の顔を検出する。その後に、制御部１０８は、検出された人物の顔の特徴を認識する（ステップＳ４０６）。顔認識の後、制御部１０８は、認識した顔の特徴が、記録部１０４に予め登録されている人物の顔の特徴と合致しているか否かを判定する（ステップＳ４０７）。ステップＳ４０７の判定において、ステップＳ４０６において認識した顔の特徴が記録部１０４に予め登録されている人物の顔の特徴と合致していない場合に、制御部１０８は、ステップＳ４０３以後の第１の記録モードとしての処理を行う。
【００４７】
一方、ステップＳ４０７の判定において、ステップＳ４０６において認識した顔の特徴が記録部１０４に予め登録されている人物の顔の特徴と合致した場合には、第２の記録モードとする。この場合に制御部１０８は、画像処理部１０２を制御して、第２の記録画像を生成し、生成した第２の記録画像を、通信部１０７を介してアクセサリ装置２００の記録部２０１に記録する（ステップＳ４０８）。この際、アクセサリ装置２００の記録部２０１には、第２の記録画像を人物毎に例えばフォルダに分類して記録する。
【００４８】
第２の記録画像を記録部２０１に記録した後、制御部１０８は、図８（ａ）に示すようにして、第１の記録画像の確認画像１０３ａと第２の記録画像の確認画像１０３ｂを並列表示する確認表示を行う（ステップＳ４０９）。確認画像１０３ａ及び確認画像１０３ｂを表示させた後、制御部１０８は、画像処理部１０２を制御して、確認画像１０３ｂの重畳位置を、今回、特徴が合致したと判定された人物に対応したアイコン１０３ｃの位置に徐々に変化させた確認画像を順次生成する。そして、制御部１０８は、各重畳位置を変更した確認画像を表示部１０３に順次表示させる（ステップＳ４１０）。このような表示処理を行うことにより、図８（ｂ）で示したように、確認画像１０３ｂが条件アイコン１０３ｃに近づいていくことをユーザが視認できるような表示を行うことが可能である。ステップＳ４１０の後、制御部１０８は、処理をステップＳ４０４に移行させる。
【００４９】
図９、図１０は、変形例３における撮影設定の処理の例について示す図である。なお、図９、図１０は特にアルバム作成モードの処理について示している。図９の処理は図３のステップＳ１１２において行われるものである。
アルバム作成モードを含むメニュー項目を表示させた後、制御部１０８は、ユーザの操作部１０５の操作により、アルバム作成モードの項目が選択されたか否かを判定する（ステップＳ５０１）。ステップＳ５０１の判定において、アルバム作成モード以外の項目が選択された場合に、制御部１０８は、その項目に従って撮影設定の変更処理を行う。この処理についての詳細については説明を省略する。
【００５０】
ステップＳ５０１の判定において、アルバム作成モードの項目が選択された場合に、制御部１０８は、図１０（ａ）に示すような条件選択画面を表示部１０３に表示させる。なお、図１０（ａ）では、アルバム作成モードの条件設定項目１０３ｄとして、例えば「人物」、「日時」、「撮影モード」を示している。図１０（ａ）で示した以外の条件を追加しても良い。条件選択画面の表示後、制御部１０８は、人物条件の設定を変更するか、即ちユーザの操作部１０５の操作により人物の項目が選択されたか否かを判定する（ステップＳ５０２）。ステップＳ５０２の判定において、人物条件の設定を変更する場合に、制御部１０８は、図１０（ｂ）に示すような、記録部１０４に記録されている人物画像の一覧１０３ｇと条件アイコン１０３ｃの一覧１０３ｈとを表示部１０３に表示させる（ステップＳ５０３）。次に、制御部１０８は、人物画像の一覧１０３ｇ又は条件アイコン１０３ｃの一覧１０３ｈの送り操作がなされたか否かを判定する（ステップＳ５０４）。送り操作とは、ユーザの操作部１０５の操作によって、例えば図１０（ｂ）に示す送りボタン１０３ｅを選択する操作である。ステップＳ５０４の判定において、送り操作がなされた場合に、制御部１０８は、人物画像の一覧１０３ｇ又は条件アイコン１０３ｃの一覧１０３ｈの表示を次の表示に更新する（ステップＳ５０５）。その後、制御部１０８は、処理をステップＳ５０４に移行させる。
【００５１】
また、ステップＳ５０４の判定において、送り操作がなされていない場合に、制御部１０８は、ユーザの操作部１０５の操作によって、図１０（ｂ）のようにして表示されている人物画像の一覧１０３ｇ及び条件アイコン１０３ｃの一覧１０３ｈの中から、何れかの人物画像と条件アイコンの組が選択されたか否かを判定する（ステップＳ５０６）。ステップＳ５０６の判定において、人物画像と条件アイコンの組が選択されていない場合に、制御部１０８は処理をステップＳ５０４に移行させる。一方、ステップＳ５０６の判定において、人物画像と条件アイコンの組が選択された場合に、制御部１０８は、選択された条件アイコンと人物画像との対応付けを行う（ステップＳ５０７）。ステップＳ５０８において、制御部１０８は、人物画像中の人物情報（例えば顔の特徴量）を検出し、検出した人物情報がユーザによって選択された条件アイコンと対応付けられている旨を示す対応付け情報を作成する。対応付け情報の作成後、制御部１０８は、作成した対応付け情報を記録部１０４に記録させる（ステップＳ５０８）。その後に、制御部１０８は、処理をステップＳ５０１に移行させる。
【００５２】
また、ステップＳ５０２の判定において、人物条件の設定を変更しない場合に、制御部１０８は、日時条件の設定を変更するか、即ちユーザの操作部１０５の操作により日時の項目が選択されたか否かを判定する（ステップＳ５０９）。ステップＳ５０９の判定において、日時条件の設定を変更する場合に、制御部１０８は、日時の入力を促す画面を表示させる。その後に、制御部１０８は、ユーザの操作部１０５の操作によって、日時情報の入力がなされたか否かを判定する（ステップＳ５１０）。ステップＳ５１０の判定において、日時情報の入力がなされていない場合に、制御部１０８はステップＳ５１０の判定を行いつつ、待機する。一方、ステップＳ５１０の判定において、日時情報の入力がなされた場合に、制御部１０８は、入力された日時情報を記録部１０４に記録させる（ステップＳ５１１）。その後に、制御部１０８は、処理をステップＳ５０１に移行させる。記録部１０４に日時情報が記録されている場合には、記録された日時情報と合致する日時に撮影がなされたときに、第２の記録モードの処理を行うようにする。
【００５３】
また、ステップＳ５０９の判定において、日時条件の設定を変更しない場合に、制御部１０８は、撮影モード条件の設定を変更するか、即ちユーザの操作部１０５の操作により撮影モードの項目が選択されたか否かを判定する（ステップＳ５１２）。ステップＳ５１２の判定において、撮影モード条件の設定を変更する場合に、制御部１０８は、撮影モードの設定画面を表示させる。その後に、制御部１０８は、ユーザの操作部１０５の操作によって、撮影モードの設定が変更されたか否かを判定する（ステップＳ５１３）。ステップＳ５１３の判定において、撮影モードの設定が変更されていない場合に、制御部１０８はステップＳ５１３の判定を行いつつ、待機する。一方、ステップＳ５１３の判定において、撮影モードの設定が変更された場合に、制御部１０８は、変更された撮影モードを示す情報を記録部１０４に記録させる（ステップＳ５１４）。その後に、制御部１０８は、処理をステップＳ５０１に移行させる。記録部１０４に撮影モード情報が記録されている場合には、撮影モード情報と合致する撮影モードで撮影がなされたときに、第２の記録モードの処理を行うようにする。
【００５４】
また、ステップＳ５１２の判定において、撮影モード条件の設定を変更しない場合に、制御部１０８は、撮影設定の終了操作がなされたか否かを判定する（ステップＳ５１５）。終了操作とは、例えば図１０（ａ）に示す終了ボタン１０３ｆの選択操作である。ステップＳ５１５の判定において、終了操作がなされていない場合に、制御部１０８は、処理をステップＳ５０１に移行させる。一方、ステップＳ５１５の判定において、終了操作がなされた場合に、制御部１０８は図９の処理を終了させる。
【００５５】
以上説明した変形例３によれば、登録されている人物毎に分類して第２の記録画像を記録することが可能であり、より整理された電子アルバムを作成することが可能である。さらに、確認表示の際に、どの人物についての第２の記録画像が記録されたのかをユーザが視覚的に認識することが可能である。
【００５６】
（その他の変形例）
上述した実施形態では、第１の記録部としての記録部１０４と第２の記録部としての記録部２０１がそれぞれ別個の装置に設けられている例を説明しているが、例えば記録部１０４と記録部２０１の両方を撮像装置１００に内蔵するような構成としても良い。また、上述した実施形態では、記録部２０１の記録容量が記録部１０４の記録容量よりも小さい例について説明しているが、必ずしも記録部１０４と記録部２０１とで記録容量を異ならせる必要はない。ただし、上述した実施形態のように、記録部２０１を撮像装置１００に対して着脱自在になされたアクセサリ装置２００内に設けるようにすれば、アクセサリ装置２００（記録部２０１）を単体で持ち運ぶことが可能となる。また、アクセサリ装置２００に記録される画像ファイルの用途を電子アルバムの再生用に限定すれば、記録部２０１の記録容量は、外部装置３００の解像度相当のデータ量の画像ファイルを記録できれば良い。通常、撮像素子１０１ｂの画素数に比べて、テレビジョン受像機等の外部装置３００の表示画素数は少ない。したがって、記録部２０１に必要な記録容量を記録部１０４に比べて少なくすることが可能である。
【００５７】
以上実施形態に基づいて本発明を説明したが、本発明は上述した実施形態に限定されるものではなく、本発明の要旨の範囲内で種々の変形や応用が可能なことは勿論である。
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００５８】
１００…撮像装置、１０１…撮像部、１０２…画像処理部、１０３…表示部、１０４…記録部、１０５…操作部、１０６…計時部、１０７…通信部、１０８…制御部、１０８ａ…表示制御部、１０８ｂ…記録制御部、１０８ｃ…顔検出部、２００…アクセサリ装置、２０１…記録部、２０２…通信部、３００…外部装置
【図１】
0005541962.tif 000002
【図２】
0005541962.tif 000003
【図３】
0005541962.tif 000004
【図４】
0005541962.tif 000005
【図５】
0005541962.tif 000006
【図６】
0005541962.tif 000007
【図７】
0005541962.tif 000008
【図８】
0005541962.tif 000009
【図９】
0005541962.tif 000010
【図１０】
0005541962.tif 000011